(57)【要約】【課題】夜光及び紙幣試験機能を有するディスプレイを提供する。【解決手段】本発明の夜光及び紙幣試験機能を有するディスプレイは、マイクロコントローラと、プッシュキーユニットと、紫外光発射器と、を含む。該プッシュキーユニットは、紫外光キーを含み、該紫外光キーを押圧する時、該プッシュキーユニットは、紫外光信号（ＳＵＶ）を該マイクロコントローラに出力することができる。該紫外光発射器は、該マイクロコントローラと相互に接続し、該マイクロコントローラは、該紫外光信号（ＳＵＶ）を受信し、該紫外光発射器を駆動し、紫外光を発射する。これにより、該ディスプレイは、紫外光を介し、夜光及び紙幣試験の機能を同時に達成することができる。【選択図】図１Ｃ
2012203675.tif 000002
【特許請求の範囲】
【請求項１】
夜光及び紙幣試験機能を有するディスプレイであって、前記ディスプレイは、マイクロコントローラと、プッシュキーユニットと、紫外光発射器と、を含み、
前記プッシュキーユニットは、紫外光キーを含み、前記紫外光キーを押圧する時、前記プッシュキーユニットは、紫外光信号（ＳＵＶ）を前記マイクロコントローラに出力することができ、
前記紫外光発射器は、前記マイクロコントローラと相互に接続し、前記マイクロコントローラは、前記紫外光信号（ＳＵＶ）を受信し、前記紫外光発射器を駆動し、紫外光を発射し、
前記ディスプレイは、紫外光を介し、夜光及び紙幣試験の機能を同時に達成することができる夜光及び紙幣試験機能を有するディスプレイ。
【請求項２】
前記ディスプレイは、表示ユニット及び磁性検出器を含み、前記プッシュキーユニットは、第１検出キーを含み、前記マイクロコントローラ内に少なくとも１つの磁界分布データをロードし、前記第１検出キーを押圧する時、前記プッシュキーユニットは、第１信号（Ｓ１）を前記マイクロコントローラに出力し、前記マイクロコントローラに前記磁性検出キーを駆動させ、周辺の磁界分布状況を検出させ、前記磁界分布状況が前記磁界分布データと適合しているかを判断し、且つ相対して表示信号（ＳＤＩＳ）を前記表示ユニットに出力する請求項１に記載の夜光及び紙幣試験機能を有するディスプレイ。
【請求項３】
前記ディスプレイは、表示ユニット、赤外線発射器、及び赤外線受信器を含み、前記プッシュキーユニットは、第２検出キーを含み、前記マイクロコントローラ内に少なくとも１つの赤外線像分布データをロードし、前記第２検出キーを押圧する時、前記プッシュキーユニットは、第２信号（Ｓ２）を前記マイクロコントローラに出力し、前記マイクロコントローラに前記赤外線発射器を駆動させ、赤外線を発射させ、前記赤外線受信器は、被検出物の赤外線像分布状況を受信することができ、同時に前記マイクロコントローラは、前記赤外線像分布状況が前記赤外線像分布データと適合しているかを判断し、且つ相対して表示信号（ＳＤＩＳ）を前記表示ユニットに出力する請求項１に記載の夜光及び紙幣試験機能を有するディスプレイ。
【請求項４】
前記表示ユニットは、第１光源及び第２光源を含み、前記マイクロコントローラが適合時、前記表示ユニット（ＳＤＩＳ）が前記第１光源の発光を駆動し、適合しないと判断する時、前記表示ユニット（ＳＤＩＳ）が前記第２光源の発光を駆動する請求項２又は３に記載の夜光及び紙幣試験機能を有するディスプレイ。
【請求項５】
前記表示ユニットは、スクリーン表示システム（On Screen Display）であり、前記マイクロコントローラが適合していると判断する時、前記表示ユニットは、適合情報を呈現し、前記マイクロコントローラが適合していないと判断する時、前記表示ユニットは、不適合情報を呈現する請求項２又は３に記載の夜光及び紙幣試験機能を有するディスプレイ。
【発明の詳細な説明】
【技術分野】
【０００１】
本発明は、ディスプレイに関し、特に、夜光及び紙幣試験機能を有するディスプレイに関する。
【背景技術】
【０００２】
近年より、従来の陰極線管ディスプレイ(俗称CRTディスプレイ)は、徐々に液晶ディスプレイに取って代わられ、主な原因は、液晶ディスプレイが放出する輻射量がＣＲＴディスプレイより遥かに小さいことにあり、また、液晶ディスプレイは、ここ数年で製造コストが顕著に低減されてきており、これも液晶ディスプレイが徐々にテレビ又はパソコンのスクリーン市場の主流となっている原因である。また、液晶ディスプレイは、従来の陰極線管を使用するテレビと比較し、より軽く、薄いので、駅、病院、コンビニエンスストア又は映画館等の公共の場所において、益々多くの液晶ディスプレイを発見することができ、該液晶ディスプレイは、情報の表示に用いることができるだけでなく、更に広告の目的に用いることもでき、商業上の応用は、益々広がっていると言える。
【０００３】
多くの商店、スーパーマーケット等の営業場所において、人々が液晶ディスプレイを利用し、販売情報、製品資料を表示しているのを見ることができる。商売をする人が商品を売買し、紙幣を受け取った後、通常、紙幣識別機を利用し、真札か偽札を識別する。しかしながら、液晶ディスプレイ及び偽札識別機は、一定の空間を占有し、商売をする人は、同時にこの２種の機器を購入する必要があり、そうして初めて商売の要求を満足することができる。
【０００４】
しかしながら、２種の機器を購入設置することは、空間をより浪費することになり、商業コストがより高くなり、十分に理想的でない。更に、多くの商売の場所は、照明が良好でなく、人々が紙幣の真偽を誤って判断したり、紙幣の数量を数え間違ったりする状況が起こり易くなる。
【０００５】
従って、紙幣試験、照明及び液晶ディスプレイの表示機能を如何に結合し、商業コストを低減し、使用空間を節減するかは、当業者の努力の目標となっている。
【発明の概要】
【発明が解決しようとする課題】
【０００６】
本発明の目的は、紙幣試験、照明及び液晶ディスプレイの表示機能を結合し、商業コストを低減し、使用空間を節減することにある。
【課題を解決するための手段】
【０００７】
上記の目的を達成する為、本発明は、夜光及び紙幣試験機能を有するディスプレイを提供し、該ディスプレイは、マイクロコントローラと、プッシュキーユニットと、紫外光発射器と、を含む。該プッシュキーユニットは、紫外光キーを含み、該紫外光キーを押圧する時、該プッシュキーユニットは、紫外光信号（ＳＵＶ）を該マイクロコントローラに出力することができる。該紫外光発射器は、該マイクロコントローラと相互に接続し、該マイクロコントローラは、該紫外光信号（ＳＵＶ）を受信し、該紫外光発射器を駆動し、紫外光を発射する。これにより、該ディスプレイは、紫外光を介し、夜光及び紙幣試験の機能を同時に達成することができる。
【０００８】
上記の夜光及び紙幣試験機能を有するディスプレイのうち、該ディスプレイは、表示ユニット及び磁性検出器を含み、該プッシュキーユニットは、第１検出キーを含み、該マイクロコントローラ内に少なくとも１つの磁界分布データをロードし、該第１検出キーを押圧する時、該プッシュキーユニットは、第１信号（Ｓ１）を該マイクロコントローラに出力し、該マイクロコントローラに該磁性検出キーを駆動させ、周辺の磁界分布状況を検出させ、該磁界分布状況が該磁界分布データと適合しているかを判断し、且つ相対して表示信号（ＳＤＩＳ）を該表示ユニットに出力する。該表示ユニットは、第１光源及び第２光源を含み、該マイクロコントローラが適合時、該表示ユニット（ＳＤＩＳ）が該第１光源の発光を駆動し、適合しないと判断する時、該表示ユニット（ＳＤＩＳ）が該第２光源の発光を駆動する。
【０００９】
上記の夜光及び紙幣試験機能を有するディスプレイのうち、該ディスプレイは、表示ユニット、赤外線発射器、及び赤外線受信器を含み、該プッシュキーユニットは、第２検出キーを含み、該マイクロコントローラ内に少なくとも１つの赤外線像分布データをロードし、該第２検出キーを押圧する時、該プッシュキーユニットは、第２信号（Ｓ２）を該マイクロコントローラに出力し、該マイクロコントローラに該赤外線発射器を駆動させ、赤外線を発射させ、該赤外線受信器は、被検出物の赤外線像分布状況を受信することができ、同時に該マイクロコントローラは、該赤外線像分布状況が該赤外線像分布データと適合しているかを判断し、且つ相対して表示信号（ＳＤＩＳ）を該表示ユニットに出力する。該表示ユニットは、第１光源及び第２光源を含み、該マイクロコントローラが適合時、該表示ユニット（ＳＤＩＳ）が該第１光源の発光を駆動し、適合しないと判断する時、該表示ユニット（ＳＤＩＳ）が該第２光源の発光を駆動する。
【００１０】
上記の夜光及び紙幣試験機能を有するディスプレイのうち、該第１光源又は該第２光源は、発光ダイオード（Light emitting diode, LED）である。
【００１１】
上記の夜光及び紙幣試験機能を有するディスプレイのうち、該第１光源又は該第２光源は、発光する色が異なる。
【００１２】
上記の夜光及び紙幣試験機能を有するディスプレイのうち、該表示ユニットは、スクリーン表示システム（On Screen Display）であり、該マイクロコントローラが適合していると判断する時、該表示ユニットは、適合情報を呈現し、該マイクロコントローラが適合していないと判断する時、該表示ユニットは、不適合情報を呈現する。該適合情報は、文字内容又は画像内容を含み、或いは、該不適合情報は、文字内容又は画像内容を含む。
【発明の効果】
【００１３】
これにより、本発明が記載する夜光及び紙幣試験機能を有するディスプレイは、紙幣試験、照明及び表示の機能を結合しているので、商業コストを低減することができ、商店の店内の使用空間を節減し、非常に便利で実用的である。
【図面の簡単な説明】
【００１４】
【図１Ａ】本発明の第1実施例のディスプレイの正面図である。
【図１Ｂ】本発明の第1実施例のディスプレイの側面図である。
【図１Ｃ】本発明の第1実施例のディスプレイの機能ブロック図である。
【図２Ａ】本発明の第２実施例のディスプレイの表示ユニットが適合を表す時の説明図である。
【図２Ｂ】本発明の第２実施例のディスプレイの表示ユニットが不適合を表す時の説明図である。
【発明を実施するための形態】
【００１５】
図１Ａ〜図１Ｃを同時に参照し、図１Ａが示すのは、本発明の第１実施例のディスプレイの正面図であり、図１Ｂが示すのは、本発明の第１実施例のディスプレイの側面図であり、図１Ｃが示めすのは、本発明の第１実施例のディスプレイの機能ブロック図である。図１Ａ〜図１Ｃに示すように、ディスプレイ１は、マイクロコントローラ１７と、プッシュキーユニット１６と、紫外光発射器１１と、表示ユニット１５と、磁性検出器１２と、赤外線発射器１３と、該赤外線受信器１４と、を含む。該プッシュキーユニット１６と、紫外発射器１１と、表示ユニット１５と、磁性検出器１２と、赤外線発射器１３と、赤外線受信器１４と、は何れも個別に該マイクロコントローラ１７と接続する。該プッシュキーユニット１６は、紫外光キー１６３と、第１検出キー１６１と、第２検出キー１６２と、を含む。図１Ａに示すように、該紫外光キー１６３と、第１検出キー１６１と、第２検出キー１６２は、該ディスプレイ１の正面右下箇所に設置され、人が押圧するのに便利である。該表示ユニット１５は、第１光源１５１と、第２光源１５２と、を含み、該第１光源１５１と、第２光源１５２と、は、該ディスプレイ１の正面左下箇所に設置され、人が目測で該第１光源１５１又は該第２光源１５２の明暗状況を判断するのに便利である。好適な実施例において、該第１光源１５１又は該第２光源１５２は、発光ダイオード（Light emitting diode, LED）であり、且つ該第１光源１５１及び該第２光源１５２が発光する色は、互いに異なる。該紫外光発射器１１及び赤外線発射器１３は、該ディスプレイ１の正面の下縁箇所に設置される。該紫外光キー１６３を押圧する時、該プッシュキーユニット１６は、紫外光信号（ＳＵＶ）を該マイクロコントローラ１７に出力することができる。該マイクロコントローラ１７が該紫外光信号（ＳＵＶ）を受信後、該紫外光発射器１１を駆動し、紫外光を発射することができる。一般的に、紫外光の波長は、約３６５ｎｍである。
【００１６】
本考案は、従来の欠陥を解決するため、特に、紙幣試験、照明の機能を該ディスプレイ１に結合する。本発明のディスプレイ１を使用時、射出する紫外光を利用することができ、被検出物９を照射する。ここでは、該被検出物９は、即ち、真偽識別待ちの紙幣である。一般的に、紙幣の真偽識別機能に便利であるため、各国政府は、紙幣上に特定の模様の発光剤を塗布している。該蛍光剤は、一般的な可視光の照射の下では、表示することができない。しかしながら、本発明のディスプレイ１の紫外光照射に曝された下、その蛍光剤は、蛍光反応を呈する。即ち、紫外光の励起の下、呈現される波長は、４２０〜４６０ｎｍの青色可視光であり、このようにして、人々は、蛍光反応が出現しているか否かによって、紙幣の真偽を判別することができる。従って、本発明のディスプレイ１は、紫外光を透過し、紙幣試験の機能を達成する。
【００１７】
当然ながら、現在の偽札の技術では、紫外光の識別方法は、依然として不十分である。従って、本発明のディスプレイ１は、更に磁性検出技術を利用し、紙幣識別の精度を増加する。一般的に、某国家は、偽札濫用を防止するため、ある額面の紙幣上に磁性インクを利用し、印刷し、該紙幣上の周囲には、特定の磁界分布状況を有する。磁性検出の目的を達成する為、本発明のディスプレイ１のマイクロコントローラ１７内に先に少なくとも１つの磁界分布データをロードする必要があり、該磁界分布データの数目は、紙幣の種類の数目と同一であり、即ち、検出したい紙幣額面が５０元、１００元、５００元、１０００元の４種を有する場合、該マイクロコントローラ１７は、先ず４種の額面の紙幣の異なる磁界分布データをロードする必要がある。このように、図１Ｃに示すように、該第１検出キー１６１を押圧する時、該押圧キー１６は、第１信号（Ｓ１）を該マイクロコントローラ１７に出力することができ、該マイクロコントローラ１７に該磁性検出器１２を駆動させ、紙幣周辺の磁界分布状況（ＣＭＡＧ）を検出することに用い、同時に該磁場分布状況（ＣＭＡＧ）が上記４種の磁界分布データ中の何れか１種と適合するかを判断する；その後、該マイクロコントローラ１７の判断結果を利用し、該マイクロコントローラ１７は、相対して表示信号（ＳＤＩＳ）を該表示ユニット１５に出力することができる。該マイクロコントローラ１７が適合すると判断する時、該表示信号（ＳＤＩＳ）は、該第１光源１５１の発光を駆動し、適合しないと判断する時、該表示信号（ＳＤＩＳ）は、該第２光源１５２の発光を駆動する。第１光源１５１及び第２光源１５２が発光する色は、異なるので、人々は、異なる光又は色により紙幣の真偽を分かることができる。即ち、該磁性検出器１２を利用し、被検出物９の紙幣の磁性インクの磁性に対し検出を行い、回路を介し、磁性に対し分析を行い、紙幣の真偽を識別することができる。従って、本発明のディスプレイ１は、夜光照明を更に有することができ、磁性検出を介し、高精度な紙幣試験の機能を達成する。
【００１８】
また、本発明は、更に赤外線撮像技術を利用し、紙幣識別の精度を向上することができる。一般的に、紙幣は、特殊な材質のシートを多層繰り返し印刷の方式で多種の異なるインクを印刷するので、偽札がシート及び多層のインクを完全に模倣製造することが困難である。物理特性について言えば、異なる材質、異なる成分のインク、異なる塗布層の厚さは、赤外線に対し、何れも異なる吸収及び透過効果を有する。従って、ある一枚のシートの赤外線の吸収率、透過率が真札と完全に同一であれば、該シートが真札であるとほぼ断定することができる。この原理を利用し、本発明のディスプレイ１のマイクロコントローラ１７内に先に少なくとも１つの赤外線撮像分布データをロードする必要があり、該赤外線撮像分布データの数目は、紙幣の種類の数目と同一であり、即ち、検出したい紙幣額面が１０元、２００元、５００元の３種を有する場合、該マイクロコントローラ１７は、先ず３種の額面の紙幣の異なる赤外線撮像分布データをロードする必要がある。このように、図１Ｃに示すように、該第２検出キー１６２を押圧する時、該押圧キー１６は、第２信号（Ｓ２）を該マイクロコントローラ１７に出力することができ、該マイクロコントローラ１７に該赤外線発射器１３を駆動させ、赤外線を発射する。該赤外線が該被検出物９（即ち、真偽識別待ちの紙幣）を透過する時、該赤外線受信器１４は、同時に該被検出物９の赤外線撮像分布状況（ＣＩＦＲ）を受信することができる。この時、該マイクロコントローラ１７は、該赤外線イメージ分布状況（ＣＩＦＲ）が上記３種の赤外線撮像分布データ中の何れか１種と適合するかを判断する；その後、該マイクロコントローラ１７の判断結果を利用し、該マイクロコントローラ１７は、相対して表示信号（ＳＤＩＳ）を該表示ユニット１５に出力することができ、第１光源１５１又は第２光源１５２の発光を駆動する。
【００１９】
上記実施例において、該第１光源１５１、第２光源１５２は、色の違いを利用し、紙幣の真偽を表示する。その他の実施例において、図１Ａに示すように、該第１光源１５１、第２光源１５２は、同一の色であることもでき、例えば、ここでは、該第１光源１５１及び該第２光源１５２の周辺にそれぞれ標示内容１５９を加える必要があり、人々に第１光源１５１、第２光源１５２の代表する意義を分からせることに用いる。或いは、該第１光源１５１及び第２光源１５２は、異なるランプヘッドの外形、輪郭を介するものであり、人々の分別、判読に便利である。このように、前記紙幣真偽識別の機能を達成することができる。
【００２０】
また、前記表示ユニットは、ハードウェアのＬＥＤにより構成され、当然ながら、本発明の表示ユニットは、更にソフトウェアのスクリーン表示システム（On Screen Display）であることができる。図２Ａ及び図２Ｂを参照し、図２Ａが示すのは、本発明の第２実施例のディスプレイの表示ユニットが適合を呈現する時の説明図であり、図２Ｂが示すのは、本発明の第２実施例のディスプレイの井表示ユニットが不適合を呈現する時の説明図である。図２Ａに示すように、該ディスプレイ２のマイクロコントローラが適合すると判断する時、該被検出物９が真札であることを意味し、この時、該表示ユニット２５は、適合信号２５３を呈現し、該適合信号２５３は、文字内容又は画像内容を含む。図２Ｂに示すように、該ディスプレイ２のマイクロコントローラが適合していないと判断する時、該被検出物９が偽札であることを意味し、この時、該表示ユニット２５が不適合信号２５４を呈現し、該不適合信号２５４も、文字内容又は画像内容を含むことができる。
【００２１】
上記のように、本発明が開示する夜光及び紙幣試験機能を有するディスプレイは、紙幣試験、照明及び表示の機能を結合しているので、商業コストを低減することができ、店内の使用空間を節減し、非常に便利で実用的である。
【００２２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２３】
１，２  ディスプレイ
１１  紫外光発射器
１２  磁性検出器
１３  赤外線発射器
１５，２５  表示ユニット
１５１  第１光源
１５２  第２光源
１５９  標示内容
１６  プッシュキーユニット
１６１  第１検出キー
１６２  第２検出キー
１６３  紫外光キー
１７  マイクロコントローラ
９  被検出物
２５３  適合信号
２５４  不適合信号
ＳＵＶ  紫外光信号
ＳＤＩＳ  表示信号
Ｓ１  第１信号
Ｓ２  第２信号
ＣＭＡＧ  磁界分布状況
ＣＩＦＲ  赤外線像分布状況
【図１Ａ】
2012203675.tif 000003
【図１Ｂ】
2012203675.tif 000004
【図１Ｃ】
2012203675.tif 000005
【図２Ａ】
2012203675.tif 000006
【図２Ｂ】
2012203675.tif 000007